(57)【要約】【課題】外出／在宅の車両使用状態をより正確に予測して電気料金を最適化することができるようにする。【解決手段】車両の時系列状の実際の使用状態を示す実績データを用いて、車両のモビリティとしての予測使用状態を予測するための予測モデルを生成する予測モデル生成部６２と、予測モデルに予測期間情報を入力することにより、予測対象期間中における所定単位時間ごとの車両の使用状態を、ビームサーチを適用して予測する使用状態予測部６３とを備え、当該予測した予測使用状態に基づいて車載蓄電池の充放電計画を作成することにより、予測モデルによって所定単位時間ごとに予測される複数パターンの車両使用状態のうち、予測確率の低い予測結果を所定単位時間ごとに順次枝刈りして予測が行われるようにして、外出／在宅の車両使用状態をより正確にかつ効率的に予測することができるようにする。【選択図】図６
2022002449.tif 000002
【特許請求の範囲】
【請求項１】
予測対象期間における発電装置による予測発電電力と、上記予測対象期間における電力負荷による予測消費電力と、上記予測対象期間における車両のモビリティとしての予測使用状態と、時間帯別の電気料金体系とに基づいて、上記車両に搭載された車載蓄電池の充放電を含む電力の管理を行う電力管理システムであって、
上記車両の時系列状の実際の使用状態を示す実績データを取得する使用実績データ取得部と、
上記使用実績データ取得部により取得された実績データを用いて、予測対象とする期間および当該期間の属性を表す予測期間情報が入力された際に車両のモビリティとしての予測使用状態を出力するように成された予測モデルを機械学習によって生成する予測モデル生成部と、
上記予測期間情報を上記予測モデルに入力することにより、上記予測対象期間中における所定単位時間ごとの車両のモビリティとしての使用状態を、上記所定単位時間ごとの複数の予測結果の中から予測確率の低い一部を枝刈りしながら少なくとも１パターン予測する使用状態予測部と、
上記使用状態予測部により予測された少なくとも１パターンの予測使用状態、上記予測発電電力、上記予測消費電力および上記時間帯別の電気料金体系に基づいて、上記車両のモビリティとしての使用に必要な蓄電量の不足を生じることなく電気料金が低減するように、計画対象期間における上記車載蓄電池の充放電計画を少なくとも１パターン作成する電力最適化計算部とを備えた
ことを特徴とする電力管理システム。
【請求項２】
上記使用状態予測部は、上記車両の使用状態を複数パターン予測し、複数パターンの使用状態どうしの類似度を算出し、類似度が所定レベル以上のパターンどうしを集約する
ことを特徴とする請求項１に記載の電力管理システム。
【請求項３】
上記使用状態予測部は、上記集約により残った複数パターンの使用状態どうしの上記所定単位時間ごとの重複度を算出し、重複度が低い方から所定数のパターンの使用状態を抽出することを特徴とする請求項２に記載の電力管理システム。
【請求項４】
上記使用状態予測部は、
上記所定単位時間ごとに、上記車両の使用状態の予測結果を表すラベルを付与し、
上記予測対象期間の中の一の所定単位時間についての上記車両の使用状態を予測する際に、上記一の所定単位時間に対応する予測期間情報と、上記一の所定単位時間よりも前の所定単位時間に対して付与されたラベルとを用いて上記車両の使用状態を予測する
ことを特徴とする請求項１〜３の何れか１項に記載の電力管理システム。
【請求項５】
上記使用状態予測部による上記車両の使用状態の予測および上記電力最適化計算部による上記充放電計画の作成を所定周期ごとに実行するように構成し、
一の周期内で上記車両がモビリティとしての用途に使用された場合、
上記使用実績データ取得部は、上記一の周期における上記モビリティとしての使用の終了時までの上記車両の実際の使用状態を示す実績データを取得し、
上記電力最適化計算部は、上記使用実績データ取得部により取得された実績データにより示される実績使用状態、上記予測発電電力、上記予測消費電力および上記時間帯別の電気料金体系に基づいて、上記モビリティとしての使用の終了時から上記一の周期の終了時までの期間における上記車載蓄電池の充放電計画を再作成する
ことを特徴とする請求項１〜４の何れか１項に記載の電力管理システム。
【請求項６】
上記予測モデル生成部による上記予測モデルの生成、上記使用状態予測部による上記車両の使用状態の予測および上記電力最適化計算部による上記充放電計画の作成を所定周期ごとに実行するように構成し、
一の周期内で上記車両がモビリティとしての用途に使用された場合、
上記使用実績データ取得部は、上記一の周期における上記モビリティとしての使用の終了時までの上記車両の実際の使用状態を示す実績データを取得し、
上記予測モデル生成部は、上記使用実績データ取得部により取得された実績データを用いて上記予測モデルを再生成し、
上記使用状態予測部は、上記モビリティとしての使用の終了時から上記一の周期の終了時までの期間の予測期間情報および次の予測対象期間の予測期間情報を上記予測モデル生成部により再生成された予測モデルに入力することにより、上記モビリティとしての使用の終了時から上記次の予測対象期間の終了時までの期間中における所定単位時間ごとの車両のモビリティとしての使用状態を予測し、
上記電力最適化計算部は、上記使用状態予測部により予測された予測使用状態、上記予測発電電力、上記予測消費電力および上記時間帯別の電気料金体系に基づいて、上記モビリティとしての使用の終了時から上記次の予測対象期間の終了時までの期間における上記車載蓄電池の充放電計画を再作成する
ことを特徴とする請求項１〜４の何れか１項に記載の電力管理システム。
【請求項７】
コンピュータの使用実績データ取得部が、車載蓄電池を搭載した車両の時系列状の実際の使用状態を示す実績データを取得する第１のステップと、
上記コンピュータの予測モデル生成部が、上記使用実績データ取得部により取得された実績データを用いて、予測対象とする期間および当該期間の属性を表す予測期間情報が入力された際に車両のモビリティとしての予測使用状態を出力するように成された予測モデルを機械学習によって生成する第２のステップと、
上記コンピュータの使用状態予測部が、上記予測期間情報を上記予測モデルに入力することにより、予測対象期間中における所定単位時間ごとの車両のモビリティとしての使用状態を、上記所定単位時間ごとの複数の予測結果の中から予測確率の低い一部を枝刈りしながら少なくとも１パターン予測する第３のステップと、
上記コンピュータの電力最適化計算部が、上記使用状態予測部により予測された少なくとも１パターンの予測使用状態、上記予測対象期間における発電装置による予測発電電力、上記予測対象期間における電力負荷による予測消費電力、および時間帯別の電気料金体系に基づいて、上記車両のモビリティとしての使用に必要な蓄電量の不足を生じることなく電気料金が低減するように、計画対象期間における上記車載蓄電池の充放電計画を少なくとも１パターン作成する第４のステップとを有する
ことを特徴とする電力管理方法。
【発明の詳細な説明】
【技術分野】
【０００１】
本発明は、電力管理システムおよび電力管理方法に関し、特に、予測対象期間における発電装置による予測発電電力と、予測対象期間における電力負荷による予測消費電力と、予測対象期間における車両のモビリティとしての予測使用状態と、時間帯別の電気料金体系とに基づいて、車両に搭載された車載蓄電池の充放電を含む電力の管理を行う電力管理システムに用いて好適なものである。
【背景技術】
【０００２】
近年、脱炭素社会に向けた再生可能エネルギーの導入拡大、電力需給バランスの調整、災害時の電力安定供給などの観点から、エネルギー・リソース・アグリゲーション・ビジネス（ＥＲＡＢ）が注目されている。アグリゲート可能なエネルギーリソース（蓄電池、給湯器など）の中でも、将来的に普及する可能性のある電気自動車（ＥＶ）またはプラグインハイブリッド自動車（ＰＨＶ）に搭載された蓄電池の利用が特に注目されている。
【０００３】
これに関し、従来、発電装置による予測発電電力と、電力負荷による予測消費電力と、蓄電池を搭載したＥＶの使用計画または予測使用状態と、時間帯別の電気料金とに基づいて、ＥＶのモビリティとしての利便性を損なわずに電気料金を最小化させるように電力管理を行うようにしたシステムが知られている（例えば、特許文献１，２参照）。なお、以下の説明において、ＥＶまたはＰＨＶを車両といい、当該車両に搭載された蓄電池を車載蓄電池ということがある。
【０００４】
特許文献１に記載の電力管理システムは、自然エネルギー発電装置と、電力負荷と、電力管理装置と、蓄電池（車載蓄電池）を搭載した車両とを備え、電力管理装置は、車載蓄電池の施設外での使用を開始する予定時刻、当該使用を終了する予定時刻、および当該使用に要する電力量の予測を含む施設外使用予定と、電力負荷の消費電力の予測と、自然エネルギー発電装置の発電電力の予測とに基づいて、時刻毎の車載蓄電池の蓄電量を算出する。そして、得られた時刻毎の蓄電量における最大値が所定の蓄電量最大値となるように、電力料金が比較的安価な時間帯における外部供給電力を用いて車載蓄電池の充電を計画するとともに、施設外使用終了予定時刻における車載蓄電池の蓄電量が所定の蓄電量最小値以上となるように車載蓄電池の充放電を計画する。
【０００５】
特許文献２に記載の電力供給システムでは、消費量予測データと、発電量予測データと、車両の使用履歴に基づいて算出される車載蓄電池が配線に電気的に接続されている期間のデータとに基づいて、予測期間における車載蓄電池を含む蓄電手段の蓄電および放電の推移を示す充放電スケジュールを算出し、算出された充放電スケジュールに従って、予測期間における蓄電手段の充放電電力を制御する。充放電スケジュールは、蓄電手段の充放電電力を決定するために使用する評価指標（交流電力線からの供給電力量に応じた買電料金）が所定の値となるように、混合整数計画問題に定式化して算出する。
【先行技術文献】
【特許文献】
【０００６】
【特許文献１】特許６０５３５５４号公報
【特許文献２】特許５６７２１８６号公報
【発明の概要】
【発明が解決しようとする課題】
【０００７】
車載蓄電池をエネルギーリソースとして活用するためには、ＥＶやＰＨＶが主にモビリティユースであることから、これらの車両をモビリティとしてどの時間帯に使用して（外出中）、どの時間帯に使用しないか（在宅中）の状態（以下、車両使用状態という）をより正確に把握することが不可欠となる。上記特許文献１に記載のシステムでは、車両の使用開始予定時刻と使用終了予定時刻とをユーザが入力するため、外出／在宅の車両使用状態をある程度正確に把握することが可能であるが、ユーザが予定を一々入力しなければならないという煩わしさがある。
【０００８】
一方、上記特許文献２に記載のシステムでは、車両の使用履歴に基づいて、車載蓄電池が配線に電気的に接続されている期間（施設に滞在中の期間）を予測するため、ユーザが予定を一々入力する必要はない。しかしながら、特許文献２には、車両の使用履歴に基づいて、車両が滞在中の期間を具体的にどのように予測するかの方法が開示されておらず、正確に予測できるかどうかは不明である。
【０００９】
本発明は、このような問題を解決するために成されたものであり、外出／在宅の車両使用状態をより正確に予測して電気料金を最適化することができるようにすることを目的とする。
【課題を解決するための手段】
【００１０】
上記した課題を解決するために、本発明では、車両の時系列状の実際の使用状態を示す実績データを用いて、予測対象とする期間および当該期間の属性を表す予測期間情報が入力された際に車両のモビリティとしての予測使用状態を出力するように成された予測モデルを機械学習によって生成し、当該生成した予測モデルに予測期間情報を入力することにより、予測対象期間中における所定単位時間ごとの車両のモビリティとしての使用状態を、所定単位時間ごとの複数の予測結果の中から予測確率の低い一部を枝刈りしながら少なくとも１パターン予測する。そして、当該予測した少なくとも１パターンの予測使用状態、予測対象期間における発電装置による予測発電電力、予測対象期間における電力負荷による予測消費電力、および時間帯別の電気料金体系に基づいて、計画対象期間における車載蓄電池の充放電計画を少なくとも１パターン作成するようにしている。
【発明の効果】
【００１１】
上記のように構成した本発明によれば、ユーザが計画した車両の使用予定情報をユーザ自身がシステムに入力することは必要でなく、車両の実際の使用状態を示す実績データを用いて機械学習された予測モデルにより、予測対象期間中における車両のモビリティとしての使用状態、つまり外出／在宅の車両使用状態が予測される。この予測は、予測モデルによって所定単位時間ごとに予測される複数パターンの車両使用状態のうち、予測確率の低い予測結果が所定単位時間ごとに順次枝刈りされて行われるので、外出／在宅の車両使用状態を正確に、効率的に予測することが可能となる。そして、こうして予測した車両使用状態と、予測発電電力、予測消費電力および時間帯別の電気料金体系とに基づいて車載蓄電池の充放電計画を作成することができる。これにより、本発明によれば、外出／在宅の車両使用状態をより正確に予測して電気料金を最適化することができる。
【図面の簡単な説明】
【００１２】
【図１】本実施形態による電力管理システムの全体構成例を示す図である。
【図２】本実施形態による電力管理装置の機能構成例を示すブロック図である。
【図３】発電実績データ記憶部に記憶される発電実績データの例を示す図である。
【図４】消費実績データ記憶部に記憶される消費実績データの例を示す図である。
【図５】使用実績データ記憶部に記憶される使用実績データの例を示す図である。
【図６】車両使用状態予測部のより具体的な機能構成例を示すブロック図である。
【図７】予測モデル生成部により生成される予測モデルの概念を示す模式図である。
【図８】ビームサーチによって所定単位時間ごとの車両使用状態を予測する処理の内容を説明するための模式図である。
【図９】予測結果の通知画面の一例を示す図である。
【図１０】最適化計算結果の通知画面の一例を示す図である。
【図１１】本実施形態による電力管理装置の動作例を示すフローチャートである。
【図１２】変形例１に係るパターン集約に関する処理の内容を説明するための模式図である。
【図１３】変形例１に係るパターン集約に関する処理の内容を説明するためのフローチャートである。
【図１４】変形例２に係るパターン抽出に関する処理の内容を説明するための模式図である。
【図１５】変形例２に係るパターン抽出に関する処理の内容を説明するためのフローチャートである。
【発明を実施するための形態】
【００１３】
以下、本発明の一実施形態を図面に基づいて説明する。図１は、本実施形態による電力管理システムの全体構成例を示す図である。本実施形態の電力管理システムは、例えばクラウド上にサーバ装置として設置される電力管理装置１００と、再生可能エネルギーを効率的に利用するための管理を行うシステム（ＥＭＳ：Energy Management System）１０１と、車載蓄電池１１３に蓄えた電力を家庭の電力として使うことを可能にするためのＶ２Ｈ（Vehicle to Home）システム１０２とを備えて構成される。ＥＭＳ１０１およびＶ２Ｈシステム１０２は、例えば家庭内に設置される。
【００１４】
ＥＭＳ１０１には、Ｖ２Ｈシステム１０２と、再生可能エネルギーの発電装置の一例である太陽光発電装置１１１と、電力を消費する各種電力負荷１１２-1，１１２-2，・・・（以下、単に電力負荷１１２と記す）とが接続されている。電力負荷１１２は、例えば照明、テレビ、冷蔵庫、洗濯機、エアコンといった各種電気製品である。なお、ここでは図示を省略しているが、小型の家庭用蓄電池をＥＭＳ１０１に接続することも可能である。
【００１５】
ＥＭＳ１０１を用いることで、電力負荷１１２での電力使用量をリアルタイムで計測し、建物全体から部屋ごと、電気製品ごと、時間ごとのエネルギー使用状況を可視化することができる。また、太陽光発電装置１１１で発電される電力や、蓄電池に蓄積される電力を最適に運用し、電力使用量の多い時間帯を回避して電力負荷１１２を使用することによってピークを他の時間帯にシフトして平準化する「ピークシフト」や、その時間帯の電力使用を回避する「ピークカット」を行うことも可能である。
【００１６】
Ｖ２Ｈシステム１０２には、車両の車載蓄電池１１３が専用ケーブルによって着脱可能に接続される。Ｖ２Ｈシステム１０２と車載蓄電池１１３とを接続しているときは、太陽光発電装置１１１で発電された電力（以下、発電電力という）や、図示しない系統を通じて電力会社から購入した電力（以下、買電電力という）を車載蓄電池１１３に充電したり、車載蓄電池１１３に蓄積された電力（以下、蓄積電力という）を放電して電力負荷１１２で使用したりすることが可能である。
【００１７】
一方、車両をモビリティ（移動手段）として使用するときは、Ｖ２Ｈシステム１０２と車載蓄電池１１３とを接続する専用ケーブルが外されて、車両が自由に移動できる状態となる。本実施形態において、Ｖ２Ｈシステム１０２は、車載蓄電池１１３が専用ケーブルによって接続されているときは車両が「在宅」であり、車載蓄電池１１３が専用ケーブルによって接続されていないときは車両が「外出」（モビリティとして使用中）であると判断する。
【００１８】
電力管理装置１００は、インターネット等の通信ネットワークを介してＥＭＳ１０１と接続され、当該ＥＭＳ１０１を介して各種のデータを取得する。そして、取得したデータを用いて、後述する各種の予測および充放電計画の作成などの処理を実行し、その結果に基づいてＥＭＳ１０１を制御する。
【００１９】
図２は、本実施形態による電力管理装置１００の機能構成例を示すブロック図である。図２に示すように、本実施形態の電力管理装置１００は、機能構成として、発電実績データ記録部１、消費実績データ記録部２、使用実績データ記録部３、発電電力予測部４、消費電力予測部５、車両使用状態予測部６、電力最適化計算部７および充放電制御部８を備えている。また、本実施形態の電力管理装置１００は、記憶媒体として、発電実績データ記憶部１１、消費実績データ記憶部１２、使用実績データ記憶部１３および料金テーブル記憶部１４を備えている。
【００２０】
上記各機能ブロック１〜８は、ハードウェア、ＤＳＰ（Digital Signal Processor）、ソフトウェアの何れによっても構成することが可能である。例えばソフトウェアによって構成する場合、上記各機能ブロック１〜８は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２１】
発電実績データ記録部１は、太陽光発電装置１１１での発電電力量の計測データをＥＭＳ１０１からリアルタイムで取得し、発電実績データ記憶部１１に記憶させる。本実施形態では、発電実績データ記録部１は、所定単位時間ごとに発電電力量の計測データを取得して発電実績データ記憶部１１に記憶させる。なお、発電実績データ記録部１は、ＥＭＳ１０１で録り溜めた所定単位時間ごとの計測データをバッチ的にまとめて取得するようにしてもよい。図３は、発電実績データ記憶部１１に記憶される発電実績データの例を示す図である。図３に示すように、発電実績データ記憶部１１には、所定単位時間ごと（例えば、３０分ごと）の時間、天候、発電電力量が時系列に記憶される。天候は、例えば、気象情報を提供するウェブサイトからインターネット等の通信ネットワークを介して取得する。
【００２２】
消費実績データ記録部２は、電力負荷１１２での消費電力量の計測データをＥＭＳ１０１からリアルタイムで取得し、消費実績データ記憶部１２に記憶させる。本実施形態では、消費実績データ記録部２は、所定単位時間ごとに各電力負荷１１２-1，１１２-2，・・・での総消費電力量の計測データを取得して消費実績データ記憶部１２に記憶させる。なお、消費実績データ記録部２は、ＥＭＳ１０１で録り溜めた所定単位時間ごとの計測データをバッチ的にまとめて取得するようにしてもよい。図４は、消費実績データ記憶部１２に記憶される消費実績データの例を示す図である。図４に示すように、消費実績データ記憶部１２には、所定単位時間ごと（例えば、３０分ごと）の時間、曜日、消費電力量が時系列に記憶される。曜日は、例えば、電力管理装置１００にあらかじめ記憶されたカレンダデータから取得する。
【００２３】
使用実績データ記録部３は、車両のモビリティとしての使用状態（在宅／外出の何れかの状態）の検出データをＥＭＳ１０１からリアルタイムで取得し、使用実績データ記憶部１３に記憶させる。本実施形態では、使用実績データ記録部３は、所定単位時間ごとに車両使用状態の検出データを取得して使用実績データ記憶部１３に記憶させる。なお、使用実績データ記録部３は、ＥＭＳ１０１で録り溜めた所定単位時間ごとの検出データをバッチ的にまとめて取得するようにしてもよい。図５は、使用実績データ記憶部１３に記憶される使用実績データの例を示す図である。図５に示すように、使用実績データ記憶部１３には、所定単位時間ごと（例えば、３０分ごと）の時間、曜日、車両使用状態が時系列に記憶される。図５において、車両使用状態の〇印は在宅、×印は外出を示している。
【００２４】
発電電力予測部４は、発電実績データ記憶部１１に記憶された発電実績データを用いて、予測対象期間中における所定単位時間ごとの太陽光発電装置１１１での発電電力量を予測する。ここで、発電電力予測部４は、太陽光発電装置１１１による発電電力量の予測をバッチ処理として所定周期ごとに繰り返し行う。例えば、発電電力予測部４は、毎日の決められた時刻（例えば、午前０時）に、翌日の２４時間を予測対象期間として、発電電力量の予測を行う。なお、この予測を行う時刻および予測対象期間は一例であり、これに限定されるものではない。
【００２５】
発電電力予測部４は、発電実績データ記憶部１１に記憶された発電実績データを用いて、どの時間帯のどのような天候のときにどの程度の発電電力量が得られるかの傾向を分析し、その分析結果と予測対象期間中における所定単位時間ごとの予測天候情報とに基づいて、予測対象期間中における所定単位時間ごとの発電電力量を予測する。予測天候情報は、例えば、気象情報を提供するウェブサイトからインターネット等の通信ネットワークを介して取得する。
【００２６】
一例として、発電電力予測部４は、発電実績データ記憶部１１に記憶された発電実績データを用いて、時間帯と天候を説明変数とし、発電電力量を目的変数とする関数から成る予測モデルを生成する。そして、予測対象期間中における所定単位時間ごとの予測天候情報を予測モデルに入力することにより、予測対象期間中における所定単位時間ごとの発電電力量を予測する。予測モデルの生成は、例えば、公知の機械学習を利用して行うことが可能である。
【００２７】
消費電力予測部５は、消費実績データ記憶部１２に記憶された消費実績データを用いて、予測対象期間中における所定単位時間ごとの電力負荷１１２での消費電力量を予測する。ここで、消費電力予測部５は、電力負荷１１２による消費電力量の予測をバッチ処理として繰り返し行う。例えば、消費電力予測部５は、毎日の決められた時刻（例えば、午前０時）に、翌日の２４時間を予測対象期間として、消費電力量の予測を行う。なお、この予測を行う時刻および予測対象期間は一例であり、これに限定されるものではない。
【００２８】
消費電力予測部５は、消費実績データ記憶部１２に記憶された消費実績データを用いて、どの曜日のどの時間帯にどの程度の消費電力量が発生するかの傾向を分析し、その分析結果と予測対象期間中における曜日情報とに基づいて、予測対象期間中における所定単位時間ごとの消費電力量を予測する。
【００２９】
一例として、消費電力予測部５は、消費実績データ記憶部１２に記憶された消費実績データを用いて、時間帯と曜日を説明変数とし、消費電力量を目的変数とする関数から成る予測モデルを生成する。そして、予測対象期間中における曜日情報を予測モデルに入力することにより、予測対象期間中における所定単位時間ごとの消費電力量を予測する。予測モデルの生成は、例えば、公知の機械学習を利用して行うことが可能である。なお、時間帯と曜日に加え、天候情報（天気、気温、湿度等）などの他の情報も説明変数として用いる予測モデルを生成するようにしてもよい。この場合、消費実績データ記憶部１２に記憶する消費実績データには他の情報も含める。
【００３０】
車両使用状態予測部６は、使用実績データ記憶部１３に記憶された使用実績データを用いて、予測対象期間中における所定単位時間ごとの車両使用状態を予測する。ここで、車両使用状態予測部６は、車両使用状態の予測をバッチ処理として繰り返し行う。例えば、車両使用状態予測部６は、毎日の決められた時刻（例えば、午前０時）に、翌日の２４時間を予測対象期間として、車両使用状態の予測を行う。なお、この予測を行う時刻および予測対象期間は一例であり、これに限定されるものではない。
【００３１】
車両使用状態予測部６は、使用実績データ記憶部１３に記憶された使用実績データを用いて、どの曜日のどの時間帯に車両使用状態がどのようになるかの傾向を分析し、その分析結果と予測対象期間中における曜日情報とに基づいて、予測対象期間中における所定単位時間ごとの車両使用状態を予測する。
【００３２】
一例として、車両使用状態予測部６は、使用実績データ記憶部１３に記憶された使用実績データを用いて、時間帯と曜日を説明変数とし、車両使用状態を目的変数とする関数から成る予測モデルを生成する。そして、予測対象期間中における曜日情報を予測モデルに入力することにより、予測対象期間中における所定単位時間ごとの車両使用状態を予測する。この予測モデルについては詳細を後述する。なお、時間帯と曜日に加え、天候情報などの他の情報も説明変数として用いる予測モデルを生成するようにしてもよい。この場合、使用実績データ記憶部１３に記憶する使用実績データには他の情報も含める。
【００３３】
電力最適化計算部７は、予測対象期間における太陽光発電装置１１１による予測発電電力（発電電力予測部４により予測された発電電力量）と、予測対象期間における電力負荷１１２による予測消費電力（消費電力予測部５により予測された消費電力量）と、予測対象期間における車両のモビリティとしての予測使用状態（車両使用状態予測部６により予測された車両使用状態）と、料金テーブル記憶部１４に記憶されている時間帯別の電気料金体系とに基づいて、車両のモビリティとしての使用に必要な蓄電量の不足を生じることなく電気料金が低減するように、車両に搭載された車載蓄電池１１３に関する計画対象期間中における所定単位時間ごとの充放電計画を作成する。本実施形態において、計画対象期間は予測対象期間と同じであるものとする。
【００３４】
充放電制御部８は、電力最適化計算部７により作成された充放電計画に従って、計画対象期間中（＝予測対象期間中）における車載蓄電池１１３の実際の充放電を制御する。
【００３５】
図６は、車両使用状態予測部６のより具体的な機能構成例を示すブロック図である。図６に示すように、本実施形態の車両使用状態予測部６は、より具体的な機能構成として、使用実績データ取得部６１、予測モデル生成部６２および使用状態予測部６３を備えている。また、車両使用状態予測部６は、記憶媒体として、予測モデル記憶部６０を備えている。
【００３６】
使用実績データ取得部６１は、車両の時系列状の実際の使用状態を示す実績データを使用実績データ記憶部１３から取得する。使用実績データ記憶部１３には、車両使用状態に関する使用実績データが日々追加して記憶されていく。使用実績データ取得部６１は、例えば、使用実績データ記憶部１３に記憶されている使用実績データの全てを取得する。なお、過去の車両使用状態の実績から未来の予測対象期間における車両使用状態を予測するに際して、直近のトレンドを利用することが特に有効であるとの観点から、使用実績データ取得部６１は直近の所定期間の使用実績データのみを使用実績データ記憶部１３から取得するようにしてもよい。
【００３７】
予測モデル生成部６２は、使用実績データ取得部６１により取得された使用実績データを用いて、予測対象期間および当該期間の属性を表す予測期間情報が入力された際に車両のモビリティとしての予測使用状態を所定単位時間ごとに出力するように成された予測モデルを機械学習によって生成する。上述したように、予測対象期間は、例えば翌日の２４時間である。予測対象期間の属性は、例えば予測対象期間（翌日）の曜日情報である。すなわち、予測モデル生成部６２は、所定単位時間ごとの日時と曜日を予測モデルに入力データとして与えるとともに、所定単位時間ごとの車両使用状態を予測モデルに正解データとして与えることにより、予測モデルの教師あり学習を行う。
【００３８】
予測モデル生成部６２は、生成した予測モデルのデータを予測モデル記憶部６０に記憶させる。上述したように、車両使用状態予測部６の処理は毎日１回、バッチ処理として繰り返し実行される。よって、予測モデル記憶部６０に記憶される予測モデルも日々更新される。
【００３９】
本実施形態において、予測モデル生成部６２は、所定単位時間ごとの時系列的な車両使用状態の予測を系列ラベリング問題として扱うような予測モデルを生成する。すなわち、予測モデル生成部６２は、所定単位時間ごとに、車両使用状態の予測結果を表すラベルを付与し、予測対象期間の中の一の所定単位時間についての車両使用状態を予測する際に、一の所定単位時間に対応する予測期間情報と、一の所定単位時間よりも前の所定単位時間に対して付与されたラベルとを用いて車両の使用状態を予測するような予測モデルを生成する。例えば、予測モデル生成部６２は、ＬＳＴＭ（Long short-term memory）を適用したニューラルネットワークによる予測モデルを生成する。
【００４０】
図７は、予測モデル生成部６２により生成される予測モデルの概念を示す模式図である。図７に示すように、予測モデル生成部６２は、所定単位時間ごとの日時情報および曜日情報をニューラルネットワークに入力し、所定単位時間ごとの車両使用状態をニューラルネットワークから出力するような予測モデルを生成する。ニューラルネットワークは、入力層と出力層との間にＬＳＴＭ層と関数層とを含んでおり、一の所定単位時間ｔnに関する車両使用状態を、それより１つ前の所定単位時間ｔn-1について予測された車両使用状態（ラベル）を引き継いで予測する。
【００４１】
このような予測モデルを生成することにより、使用状態予測部６３による車両使用状態の予測結果が、車両が在宅と予測される時間帯と、車両が外出と予測される時間帯とが短い時間間隔で交互に入れ替わるような間違った予測となる可能性を低減することができる。すなわち、３０分単位の短い時間間隔で在宅と外出とが交互に切り替わることは、車両のモビリティとしての使用状態としては一般的なものとは言えず、在宅の時間帯も外出の時間帯もそれぞれ比較的長い時間継続することが多い。ＬＳＴＭを用いて系列ラベリングを適用した予測モデルを生成することにより、一般的な傾向に即した車両使用状態の予測を行うことができるようになる。
【００４２】
使用状態予測部６３は、予測モデル記憶部６０に記憶された予測モデルに対して予測期間情報（予測対象期間の日時情報および曜日情報）を入力することにより、予測対象期間中における所定単位時間ごとの車両のモビリティとしての使用状態を、所定単位時間ごとの複数の予測結果の中から予測確率の低い一部を枝刈りしながら少なくとも１パターン予測する。使用状態予測部６３は、この予測の際に、例えばビームサーチと呼ばれる手法を用いる。
【００４３】
ここで、使用状態予測部６３により予測した車両使用状態をそのまま用いて電力最適化計算部７による最適化計算を行う実施形態とする場合、使用状態予測部６３は、所定単位時間ごとの車両使用状態を１パターン予測すればよい。一方、所定単位時間ごとの車両使用状態を複数パターン予測し、それをディスプレイ等に表示して何れかをユーザに選択させるような実施形態とすることも可能である。以下では、複数パターンの車両使用状態を予測する例について説明する。
【００４４】
図８は、ビームサーチによって所定単位時間ごとの車両使用状態を予測する処理の内容を説明するための模式図である。図８において、時刻ｔ１は予測対象期間の最初の所定単位時間、時刻ｔ２は予測対象期間の２番目の所定単位時間、時刻ｔ３は予測対象期間の３番目の所定単位時間である。４番目以降の所定単位時間は図示を省略している。図８において、■印は車両が在宅中であると予測することを表し、付記されている数値は予測確率を示している。□印は車両が外出中であると予測することを表し、付記されている数値は予測確率を示している。
【００４５】
図８の例では、使用状態予測部６３は、時刻ｔ１における車両使用状態を、在宅である確率が０．８、外出である確率が０．２と予測している。ここで、使用状態予測部６３は、時刻ｔ１における車両使用状態に関する２つの予測結果の中から、例えば予測確率が上位Ｎ個以外の予測結果を枝刈りする。枝刈りするとは、不採用にすることを意味する。ここでは、Ｎ＝３とし、予測確率が上位３個以外の予測結果を枝刈りするものとして説明する。時刻ｔ１では、予測されるのは２個のパターンのみであるから、枝刈りは行わない。
【００４６】
次に、使用状態予測部６３は、時刻ｔ２における車両使用状態を、時刻ｔ１の在宅状態から続けて在宅状態である確率が０．５、時刻ｔ１の在宅状態から外出状態に変わる確率が０．３、時刻ｔ１の外出状態から在宅状態に変わる確率が０．０５、時刻ｔ１の外出状態から続けて外出状態である確率が０．１５と予測している。この場合、使用状態予測部６３は、４パターンの予測結果のうち、予測確率が最も低い０．０５であると予測した「時刻ｔ１：外出→時刻ｔ２：在宅」のパターンの予測結果を枝刈りする。
【００４７】
次に、使用状態予測部６３は、時刻ｔ３における車両使用状態を予測する。ここで、使用状態予測部６３は、時刻ｔ２において枝刈りした車両使用状態については時刻ｔ３以降の予測は行わず、時刻ｔ２において生き残っている３パターンの予測結果を引き継いでそれぞれ在宅／外出の確率を予測する。このため、次のように６パターンの車両使用状態を予測することとなる。
(1)時刻ｔ１：在宅→時刻ｔ２：在宅→時刻ｔ３：在宅・・・確率０．１
(2)時刻ｔ１：在宅→時刻ｔ２：在宅→時刻ｔ３：外出・・・確率０．４
(3)時刻ｔ１：在宅→時刻ｔ２：外出→時刻ｔ３：在宅・・・確率０．１
(4)時刻ｔ１：在宅→時刻ｔ２：外出→時刻ｔ３：外出・・・確率０．２
(5)時刻ｔ１：外出→時刻ｔ２：外出→時刻ｔ２：在宅・・・確率０．１２
(6)時刻ｔ１：外出→時刻ｔ２：外出→時刻ｔ２：外出・・・確率０．０３
この場合、使用状態予測部６３は、予測確率が上位３個以外のとなるパターン(1)、(3)、(6)を刈りする。
【００４８】
以下、使用状態予測部６３は、図示していない時刻ｔ４から予測対象期間（翌日の２４時間）の最後の所定単位時間である時刻ｔ４８（所定単位時間を３０分とした場合の最終時刻）についても同様に、予測確率が上位３個以外のとなるパターンの予測結果を枝刈りしながらそれぞれ６パターンずつの車両使用状態を予測していく。そして、時刻ｔ４８における６パターンの予測結果の中から予測確率が上位３個以外となる３つパターンを枝刈りすることにより、最終的に３パターンの予測使用状態を得る。使用状態予測部６３は、最終的に残った３パターンの予測使用状態をディスプレイに表示して、何れか１つをユーザに選択させる。
【００４９】
なお、Ｎの値とユーザに提示するパターンの数とを必ずしも一致させる必要はない。例えば、上述の例で、時刻ｔ４８における６パターンの予測結果の中から予測確率が上位２個以外となる４つパターンを枝刈りすることにより、最終的に２パターンの予測使用状態をユーザに提示するようにしてもよい。また、使用状態予測部６３により１パターンの車両使用状態を予測する実施形態の場合、例えば、時刻ｔ１から時刻ｔ４８まで以上と同様に枝刈りをしながら６パターンずつの車両使用状態を予測し、時刻ｔ４８において得られた６パターンの予測結果の中から予測確率が最上位となるパターンを採用することにより、最終的に１パターンの予測使用状態を得るようにすることが可能である。
【００５０】
なお、ここに示した枝刈りの方法は一例であり、これに限定されるものではない。例えば、予測確率が所定値以下（例えば、０．１以下）の予測結果を枝刈りするようにしてもよい。
【００５１】
図９は、予測結果の通知画面の一例を示す図である。図９の例では、３パターンのそれぞれについて、外出と予測された時間帯（外出時間）を示し、何れかのパターンを選択可能としている。ユーザは、予測対象期間となる翌日に車両をモビリティとして使用する予定がある場合、その使用予定に合致する内容となっているパターンの予測使用状態を選択することが可能である。ユーザが何れかのパターンの予測使用状態を選択した上で、「はい」のボタンＢ１を押下した場合、電力最適化計算部７は、選択された予測使用状態を用いて、車載蓄電池１１３に対する電力の充放電を含む電力最適化の計算を実行する。
【００５２】
一方、翌日の車両の使用予定に合致するパターンの予測使用状態が存在しない場合、何れかのパターンを選択した上で、「修正」のボタンＢ３を押下することにより、ユーザのマニュアル操作によって車両使用状態を修正することが可能である。この場合、電力最適化計算部７は、修正された予測使用状態を用いて、車載蓄電池１１３に対する電力の充放電を含む電力最適化の計算を実行する。
【００５３】
翌日の車両の使用予定に合致するパターンの予測使用状態が存在しない場合、ユーザは、何れのパターンも選択せず、車両使用状態の修正もせずに、「いいえ」のボタンＢ２を押下することもできる。この場合、電力最適化計算部７は、使用状態予測部６３により予測された車両使用状態は使用せず、車載蓄電池１１３から電力の放電を行わないという条件下で電力最適化の計算を実行する。例えば、車載蓄電池１１３からの放電は行わずに、翌日の外出に備えて充電のみを行う（例えば、電気料金を考慮せず、満充電になるまですぐに充電する）といった態様で電力最適化の計算を実行する。
【００５４】
電力最適化計算部７は、使用状態予測部６３により予測された少なくとも１パターンの予測使用状態と、発電電力予測部４により予測された予測発電電力と、消費電力予測部５により予測された予測消費電力と、料金テーブル記憶部１４に記憶されている時間帯別の電気料金体系とに基づいて、計画対象期間における車載蓄電池１１３の充放電計画を少なくとも１パターン作成する。以上の例では、使用状態予測部６３により最終的に１パターンの予測使用状態が採用されるので、電力最適化計算部７は、当該１パターンの予測使用状態を用いて、計画対象期間における車載蓄電池１１３の充放電計画を１パターン作成する。
【００５５】
ここで、車載蓄電池１１３の充放電計画を作成する際に、いくつかの条件を適用して最適化の計算を行う。条件の一例を以下に示す。
・系統からの買電電力よりも太陽光発電装置１１１での発電電力を電力負荷１１２に使用することを優先する。
・太陽光発電装置１１１での発電電力が電力負荷１１２での消費電力を上回り（つまり、余剰電力が発生する場合）、かつ、その時間帯に車両が在宅であることが予測されている場合は、余剰電力を車載蓄電池１１３に充電する。
・車載蓄電池１１３に対する充電は、買電電力による充電よりも余剰電力による充電を優先する。
【００５６】
また、以下の条件を更に適用するようにしてもよい。
・車両のモビリティとしての緊急利用などを考慮し、帰宅時（専用ケーブルにより車載蓄電池１１３がＶ２Ｈシステム１０２に接続された時）における車載蓄電池１１３の蓄電残量が閾値以下の場合は、使用状態予測部６３により予測された車両使用状態に関わらず、所定量までは充電を行う。
・車両をモビリティとして使用した帰宅直後でまだ車載蓄電池１１３が熱い状態で充放電をすると電池劣化が激しくなることから、帰宅後から所定時間を空けてから充放電をする。
【００５７】
なお、以上の実施形態では、使用状態予測部６３が最終的に１パターンの予測使用状態を決定し、電力最適化計算部７がその１パターンの予測使用状態を用いて１パターンの充放電計画を作成する例について説明したが、これに限定されない。例えば、電力最適化計算部７が、使用状態予測部６３により予測された複数パターンの予測使用状態を用いて複数パターンの充放電計画を作成し、それをディスプレイに表示して、何れか１つをユーザに選択させるようにしてもよい。
【００５８】
図１０は、最適化計算結果の通知画面の一例を示す図である。図１０の例では、使用状態予測部６３により予測された３パターンの車両使用状態のそれぞれについて、外出と予測された時間帯（外出時間）と、電力最適化計算部７により作成された３パターンの充放電計画に従って車載蓄電池１１３の充放電を行った場合の料金削減効果とを示し、何れかのパターンを選択可能としている。料金削減効果とは、車載蓄電池１１３に対する充放電を行わない場合に比べて料金がどれくらい安くなるかを示したものである。
【００５９】
ユーザは、予測対象期間となる翌日に車両をモビリティとして使用する予定がある場合、その使用予定に合致する内容となっているパターンのうち、料金削減効果の高いパターンを選択することが可能である。ユーザが何れかのパターンを選択した上で、「はい」のボタンＢ１１を押下した場合、充放電制御部８は、選択されたパターンの充放電計画に従って、計画対象期間中における車載蓄電池１１３の充放電を実行する。
【００６０】
一方、翌日の車両の使用予定に合致するパターンの予測使用状態が存在しない場合、何れかのパターンを選択した上で、「修正」のボタンＢ１３を押下することにより、ユーザのマニュアル操作によって車両使用状態を修正することが可能である。この場合、電力最適化計算部７は、修正された予測使用状態を用いて、車載蓄電池１１３に対する電力の充放電を含む電力最適化の計算を再実行し、車載蓄電池１１３の充放電計画を再作成する。充放電制御部８は、再作成された充放電計画に従って、計画対象期間中における車載蓄電池１１３の充放電を実行する。
【００６１】
翌日の車両の使用予定に合致するパターンの予測使用状態が存在しない場合、ユーザは、何れのパターンも選択せず、車両使用状態の修正もせずに、「いいえ」のボタンＢ１２を押下することもできる。この場合、電力最適化計算部７は、使用状態予測部６３により予測された車両使用状態は使用せず、車載蓄電池１１３から電力の放電を行わないという条件下で電力最適化の計算を再実行し、車載蓄電池１１３の充放電計画を再作成する。充放電制御部８は、再作成された充放電計画に従って、計画対象期間中における車載蓄電池１１３の充放電を実行する。
【００６２】
図１１は、以上のように構成した本実施形態による電力管理装置１００の動作例を示すフローチャートである。図１１に示すフローチャートは、毎日の決められた時刻にバッチ処理として所定周期ごとに繰り返し実行される。
【００６３】
まず、使用実績データ取得部６１は、車載蓄電池１１３を搭載した車両の時系列状の実際の使用状態を示す使用実績データを使用実績データ記憶部１３から取得する（ステップＳ１）。次に、予測モデル生成部６２は、使用実績データ取得部６１により取得された使用実績データを用いて、予測期間情報から車両のモビリティとしての車両使用状態を予測するための予測モデルを機械学習によって生成する（ステップＳ２）。
【００６４】
次いで、使用状態予測部６３は、予測対象期間における予測期間情報を予測モデルに入力することにより、予測対象期間中における所定単位時間ごとの車両のモビリティとしての使用状態を複数パターン予測する（ステップＳ３）。そして、使用状態予測部６３は、複数パターンの中から何れか１つのパターンがユーザにより選択されたか否かを判定する（ステップＳ４）。すなわち、図９に示す予測結果の通知画面において、何れか１つのパターンの予測使用状態を選択した上で、「はい」のボタンＢ１が押下されたか否かを判定する。
【００６５】
ここで、何れか１つのパターンの予測使用状態がユーザにより選択されたと判定された場合、電力最適化計算部７は、その選択されたパターンの予測使用状態、予測対象期間における太陽光発電装置１１１による予測発電電力、予測対象期間における電力負荷１１２による予測消費電力、および時間帯別の電気料金体系に基づいて、計画対象期間における車載蓄電池１１３の充放電計画を作成する（ステップＳ５）。
【００６６】
上記ステップＳ４において、何れか１つのパターンの予測使用状態がユーザにより選択されていない場合、使用状態予測部６３は、図９の通知画面において「修正」のボタンＢ３の押下によって何れかの予測使用状態が修正されたか否かを判定する（ステップＳ６）。予測使用状態の修正が行われたと使用状態予測部６３により判定された場合、電力最適化計算部７は、その修正された予測使用状態、予測対象期間における太陽光発電装置１１１による予測発電電力、予測対象期間における電力負荷１１２による予測消費電力、および時間帯別の電気料金体系に基づいて、計画対象期間における車載蓄電池１１３の充放電計画を作成する（ステップＳ７）。
【００６７】
上記ステップＳ６において、予測使用状態の修正も行われていないと判定され場合、すなわち、図９の通知画面において「いいえ」のボタンＢ２が押下されたと判定された場合、電力最適化計算部７は、使用状態予測部６３により予測された車両使用状態は使用せず、車載蓄電池１１３から電力の放電を行わないという条件下で電力最適化の計算を実行する（ステップＳ８）。ステップＳ５、ステップＳ７またはステップＳ８の処理の実行により、図１１に示すフローチャートによる１回のバッチ処理が終了する。
【００６８】
以上詳しく説明したように、本実施形態では、車両の時系列状の実際の使用状態を示す使用実績データを用いて、車両のモビリティとしての予測使用状態を予測するための予測モデルを機械学習によって生成し、当該生成した予測モデルに予測期間情報を入力することにより、予測対象期間中における所定単位時間ごとの車両のモビリティとしての使用状態を、ビームサーチを適用して予測する。そして、当該予測した予測対象期間における予測使用状態、予測対象期間における予測発電電力、予測対象期間における予測消費電力、および時間帯別の電気料金体系に基づいて、車両のモビリティとしての使用に必要な蓄電量の不足を生じることなく電気料金が低減するように、予測対象期間における車載蓄電池１１３の充放電計画を作成するようにしている。
【００６９】
上記のように構成した本実施形態によれば、ユーザが計画した車両の使用予定情報をユーザ自身がシステムに入力することは必要でなく、車両の実際の使用状態を示す使用実績データを用いて機械学習された予測モデルにより、予測対象期間中における車両のモビリティとしての使用状態、つまり外出／在宅の車両使用状態が予測される。この予測は、予測モデルによって所定単位時間ごとに予測される複数パターンの車両使用状態のうち、予測確率の低い予測結果が所定単位時間ごとに順次枝刈りされて行われるので、外出／在宅の車両使用状態を正確に、効率的に予測することが可能となる。そして、こうして予測した車両使用状態と、予測発電電力、予測消費電力および時間帯別の電気料金体系とに基づいて車載蓄電池１１３の充放電計画を作成することができる。これにより、本実施形態によれば、外出／在宅の車両使用状態をより正確に予測して電気料金を最適化することができる。
【００７０】
なお、上記実施形態は、本発明を実施するにあたっての具体化の一例を示したものに過ぎず、本発明はこれに限定されない。例えば、以下のような各種の変形例を適用すること可能である。
【００７１】
＜変形例１＞
使用状態予測部６３は、車両の使用状態を複数パターン予測した後、複数パターンの使用状態どうしの類似度を算出し、類似度が所定レベル以上のパターンどうしを集約するようにしてもよい。図１２および図１３は、このパターン集約に関する処理の内容を説明するための図である。
【００７２】
図１２では、使用状態予測部６３が予測モデルによって１０パターンの車両使用状態を予測し、当該１０パターンの車両使用状態を４パターンの車両使用状態に集約する例を模式的に示している。１０パターンの車両使用状態は、例えば、予測確率が上位１０個以外の予測結果を枝刈りすることによって予測することが可能である。図１２において、■印は車両が在宅であると予測されたことを表し、□印は車両が外出であると予測されたことを表している。
【００７３】
使用状態予測部６３は、一例として、図１３のフローチャートに示す方法により類似パターンの集約を行う。まず、使用状態予測部６３は、１０パターンの車両使用状態を正解率の降順でソートする（ステップＳ１１）。正解率とは、過去の使用実績データと比較して所定単位時間ごとの在宅／外出が一致する数の多さをいう。ここで用いる使用実績データは、例えば予測対象期間と同じ日時および同じ曜日で、かつ直近の使用実績データとすることが可能である。
【００７４】
次に、使用状態予測部６３は、まだ選択も削除もされていないパターンのうち、正解率が最も高いものを選択する（ステップＳ１２）。そして、選択したパターンに類似するパターンをすべて削除する（ステップＳ１３）。ここでは一例として、以下の条件を満たすものを類似パターンと判定する。
・１日の外出回数が同じである。
・外出における出発・帰宅時刻の差がそれぞれ±１時間以内、かつ１回の外出時間の差が±1時間以内である。
・１日に複数回の外出がある場合は、それぞれの外出で上記の条件を満たす。
【００７５】
図１２（ａ）は、１０パターンの車両使用状態を正解率の降順でソートした状態を示しているものとする。ステップＳ１２において、最初は、図１２（ａ）に示す第１パターンの車両使用状態を選択する。ステップＳ１３において、第１パターンに対して上述の条件を満たすパターンを判定すると、第２パターン、第４パターン、第９パターンとなる。よって、これら３つのパターンを削除する。これは、第２パターン、第４パターンおよび第９パターンを第１パターンに集約することを意味している。
【００７６】
次に、使用状態予測部６３は、選択も削除もされていないパターンが無くなったか否かを判定する（ステップＳ１４）。選択も削除もされていないパターンがまだ残っている場合、処理はステップＳ１２に戻る。今の例では、第１パターンが選択され、それに類似するパターンとして第２パターンが削除されているので、まだ選択も削除もされていないパターンのうち、正解率が最も高い第３パターンが選択される（ステップＳ１２）。そして、選択した第３パターンに類似するパターンとして、第６パターンを削除する（ステップＳ１３）。
【００７７】
以下、選択も削除もされていないパターンが無くなったとステップＳ１４にて判定されるまで、同様の処理を繰り返す。これにより、図１２（ａ）に示す１０パターンの車両使用状態は、図１２（ｂ）に示す４パターンの車両使用状態に集約される。使用状態予測部６３は、この４パターンの車両使用状態をディスプレイに表示して（図９参照）、何れか１つをユーザに選択させる。あるいは、電力最適化計算部７が４パターンの車両使用状態を用いて車載蓄電池１１３の充放電計画を作成し、料金削減効果を含めて車両使用状態をディスプレイに表示して（図１０参照）、何れか１つをユーザに選択させるようにしてもよい。
【００７８】
以上のように構成した変形例１によれば、予測モデルを用いて使用状態予測部６３により予測された複数パターンの車両使用状態のうち、互いに類似するパターンどうしを集約してユーザに提示するので、ユーザに対してできるだけ少ないパターン数の車両使用状態を提示しつつ、提示する車両使用状態が比較的バリエーションに富んだものとなるようにすることができる。これにより、車両使用状態の選択を行いやすくすることができるとともに、実際の車両の使用予定に合致する車両使用状態を選択できる可能性を高めることができる。
【００７９】
＜変形例２＞
ユーザに提示する車両使用状態のパターンが多彩かつ少数となるように、使用状態予測部６３は、変形例１の集約により残った複数パターンの車両使用状態どうしの所定単位時間ごとの重複度を算出し、重複度が低い方から所定数のパターンの車両使用状態を抽出するようにしてもよい。図１４および図１５は、このパターン抽出に関する処理の内容を説明するための図である。
【００８０】
図１４（ａ）は、変形例１の集約処理を行った結果を示しており、図１２（ｂ）と同じ状態を示している。使用状態予測部６３は、一例として、図１５のフローチャートに示す方法により低重複度パターンの抽出を行う。
【００８１】
まず、使用状態予測部６３は、集約で残った４パターンの車両使用状態のうち、過去の使用実績データと比較して正解率が最も高いものを抽出してリストに加える（ステップＳ２１）。図１４の例では、第１パターンが最も正解率が高いものとして抽出される。
【００８２】
次に、使用状態予測部６３は、まだ抽出されていないパターンの中から、何れか１つのパターンを選択する（ステップＳ２２）。そして、当該選択したパターンについて、既に抽出された各パターンとの重複度を計算する（ステップＳ２３）。重複度とは、既に抽出された各パターンとの一致率（所定単位時間ごとの在宅／外出の一致度合い）のうち、最も高い値をいう。
【００８３】
次に、使用状態予測部６３は、選択されていないパターンが無くなったか否かを判定する（ステップＳ２４）。選択されていないパターンがまだ残っている場合、処理はステップＳ２２に戻る。一方、選択されていないパターンがなくなった場合、使用状態予測部６３は、ステップＳ２２〜Ｓ２４のループ処理によって選択された複数パターンの中から、重複度が最も低いパターンを抽出してリストに加える（ステップＳ２５）。
【００８４】
図１４の例では、最初に抽出された第１パターン以外の第３パターン、第５パターン、第８パターンが順に選択され、第１パターンとの重複度がそれぞれ計算された結果、第１パターンとの重複度が最も低いパターンとして、第８パターンが抽出されている。その後、使用状態予測部６３は、リストに加えられたパターンの数が所定数Ｍに達したか否かを判定する（ステップＳ２６）。ここでは、一例としてＭ＝３とする。
【００８５】
リストに加えられたパターンの数が所定数Ｍに達していない場合、処理はステップＳ２２に戻り、以上の同様の処理が実行される。ここでは、既に抽出された第１パターンと第８パターン以外の第３パターンと第５パターンとが順次選択され、第１パターンおよび第８パターンとの重複度がそれぞれ計算される。そして、第１パターンおよび第８パターンとの重複度が最も低いパターンとして、第５パターンが抽出される。これにより、リストに加えられたパターンの数が所定数Ｍに達し、図１５に示すフローチャートの処理が終了する。
【００８６】
これにより、図１４（ａ）に示す４パターンの車両使用状態の中から、図１４（ｂ）に示す３パターンの車両使用状態が抽出される。使用状態予測部６３は、この３パターンの車両使用状態をディスプレイに表示して（図９参照）、何れか１つをユーザに選択させる。あるいは、電力最適化計算部７が３パターンの車両使用状態を用いて車載蓄電池１１３の充放電計画を作成し、料金削減効果を含めて車両使用状態をディスプレイに表示して（図１０参照）、何れか１つをユーザに選択させるようにしてもよい。
【００８７】
＜変形例３＞
上記実施形態では、毎日の決められた時刻（例えば、午前０時）にバッチ処理として周期的に、翌日の２４時間を予測対象期間として発電電力量、消費電力量および車両使用状態の予測を行い、予測対象期間とした翌日の２４時間を計画対象期間として、電力最適化計算部７が車載蓄電池１１３の充放電計画を作成する例について説明したが、本発明はこれに限定されない。
【００８８】
例えば、一の周期内で車両がモビリティとしての用途に使用された場合、当該一の周期におけるモビリティとしての使用の終了時までの車両の実際の使用状態を示す実績データを使用して、モビリティとしての使用の終了時（車載蓄電池１１３が専用ケーブルによりＶ２Ｈシステム１０２に接続された時）から当該一の周期の終了時（午前０時）までの期間における車載蓄電池１１３の充放電計画を再作成するようにしてもよい。これは、例えば午後９時に帰宅して車載蓄電池１１３をＶ２Ｈシステム１０２に接続した場合、その日の午後９時までの実際の車両使用状態に関する使用実績データを使用して、午後９時から午前０時までの充放電計画を再作成するというものである。
【００８９】
この場合、使用実績データ取得部６１は、当該一の周期におけるモビリティとしての使用の終了時までの車両の実際の使用状態を示す使用実績データを取得する。また、電力最適化計算部７は、使用実績データ取得部６１により取得された使用実績データにより示される実績使用状態と、発電電力予測部４により予測された予測発電電力と、消費電力予測部５により予測された予測消費電力と、料金テーブル記憶部１４に記憶されている間帯別の電気料金体系とに基づいて、モビリティとしての使用の終了時から一の周期の終了時までの期間における車載蓄電池１１３の充放電計画を再作成する。
【００９０】
このように構成した変形例３によれば、前日に予測された車両使用状態と、当日の実際の車両使用状態との間に齟齬が生じているような場合に、当日の帰宅後の充放電計画が実際の車両使用状態に基づいて再作成されるので、実態に合った適切な充放電計画に基づいて車載蓄電池１１３の充放電を行うことができる。
【００９１】
＜変形例４＞
上記変形例３では、一の周期内で車両がモビリティとしての用途に使用された場合に、車両の実際の使用状態を示す使用実績データを使用して、帰宅後から当日の残りの期間における充放電計画を再作成するだけであったが、以下に述べる変形例４では、車両の実際の使用状態を示す使用実績データを使用して、予測モデルの生成、車両使用状態の予測および充放電計画の作成を再実行する。
【００９２】
例えば、一の周期内で上記車両がモビリティとしての用途に使用された場合、使用実績データ取得部６１は、当該一の周期におけるモビリティとしての使用の終了時までの車両の実際の使用状態を示す使用実績データを取得する。また、予測モデル生成部６２は、使用実績データ取得部６１により取得された使用実績データを用いて予測モデルを再生成する。
【００９３】
また、使用状態予測部６３は、モビリティとしての使用の終了時から一の周期の終了時までの期間の予測期間情報と、次の予測対象期間の予測期間情報とを予測モデルに入力することにより、モビリティとしての使用の終了時から次の予測対象期間の終了時までの期間中における所定単位時間ごとの車両の使用状態を予測する。
【００９４】
さらに、電力最適化計算部７は、以上のように使用状態予測部６３により予測された予測使用状態と、発電電力予測部４により予測された予測発電電力と、消費電力予測部５により予測された予測消費電力と、料金テーブル記憶部１４に記憶されている間帯別の電気料金体系とに基づいて、モビリティとしての使用の終了時から次の予測対象期間の終了時までの期間における車載蓄電池１１３の充放電計画を再作成する。
【００９５】
このように構成した変形例４では、例えば午後９時に帰宅して車載蓄電池１１３をＶ２Ｈシステム１０２に接続した場合、その日の午後９時までの実際の車両使用状態に関する使用実績データを使用して、午後９時から午前０時までおよび翌日の２４時間を合わせた期間の充放電計画が作成される。ユーザは、その充放電計画が適切なものと判断すれば、その充放電計画を採用することができる。その後、午前０時になった時点で通常通りのバッチ処理に従って充放電計画が作成されるが、これにより作成された充放電計画を採用するか、帰宅後の午後９時に作成された充放電計画を採用するかをユーザが選択できるようにしてもよい。
【００９６】
なお、上記実施形態では、予測対象期間と計画対象期間とを同じとする例について説明したが、異ならせるようにしてもよい。例えば、翌日および翌々日の２日間を予測対象期間として設定し、翌日を計画対象期間として設定するようにしてもよい。このようすれば、２日分の車両の予測使用状態をもとに、１日分の充放電計画を作成することができる。すなわち、翌日に加えて翌々日の予測使用状態を考慮した上で、翌日の充放電計画を作成することが可能となる。
【００９７】
また、上記実施形態では、予測対象期間の開始時点においてバッチ処理を実行する例について説明したが、本発明はこれに限定されない。例えば、予測対象期間の開始時点より所定時間前のタイミングでバッチ処理を実行するようにしてもよい。また、バッチ処理を行うタイミングをユーザが任意に指定できるようにしてもよい。このようにすれば、ユーザが指定したタイミングで、翌日の予測対象期間における車両使用状態を予測して図９または図１０の画面をユーザに提示することができる。
【００９８】
また、上記実施形態では、ＥＭＳ１０１の一例としてＨＥＭＳ（Home Energy Management System）を例にとり、車両が在宅中か外出中かを予測する例について説明したが、本発明はこれに限定されない。例えば、ＢＥＭＳ（Building Energy Management System）、ＦＥＭＳ（Factory Energy Management System）などのｘＥＭＳに対しても同様に本発明を適用することが可能である。
【００９９】
その他、上記実施形態および変形例は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【０１００】
１  発電実績データ記録部
２  消費実績データ記録部
３  使用実績データ記録部
４  発電電力予測部
５  消費電力予測部
６  車両使用状態予測部
７  電力最適化計算部
８  充放電制御部
１１  発電実績データ記憶部
１２  消費実績データ記憶部
１３  使用実績データ記憶部
１４  料金テーブル記憶部
１００  電力管理装置
１０１  ＥＭＳ
１０２  Ｖ２Ｈシステム
１１１  太陽光発電装置
１１２  電力負荷
１１３  車載蓄電池
【図１】
2022002449.tif 000003
【図２】
2022002449.tif 000004
【図３】
2022002449.tif 000005
【図４】
2022002449.tif 000006
【図５】
2022002449.tif 000007
【図６】
2022002449.tif 000008
【図７】
2022002449.tif 000009
【図８】
2022002449.tif 000010
【図９】
2022002449.tif 000011
【図１０】
2022002449.tif 000012
【図１１】
2022002449.tif 000013
【図１２】
2022002449.tif 000014
【図１３】
2022002449.tif 000015
【図１４】
2022002449.tif 000016
【図１５】
2022002449.tif 000017